(57)【要約】【課題】室内等にて使用される加湿装置において，加湿動作を照射光により動的に表示できる加湿装置を提供することを目的とする。【解決手段】加湿フィルターユニット８の回転により加湿フィルターユニット８の外周部の等間隔に設けた複数のフィルター反射板９が回転し、発光手段１１によりフィルター反射板９で反射した光は、照射部１２の透明性の高いアクリル樹脂に照射される。フィルター反射板９の回転により反射光は、照射部１２の下方から上方へ向かって一定間隔で繰返し照射され動的に表示することができる。【選択図】図１
2009068747.tif 000002
【特許請求の範囲】
【請求項１】
吸込口と吹出口を連通し形成された空気流路に送風手段を設けた本体と、この本体に設けた給水タンクから一定水位に保たれるように給水される水槽と、この水槽の貯留水に常に下部を浸し、前記空気流路内に回転可能に軸支される中空円筒形状の加湿フィルターユニットと、この加湿フィルターユニット外周部に略等間隔で一体に備えた複数のフィルター反射板と、この加湿フィルターユニットを回転する回転手段と、前記フィルター反射板に照射する発光手段と、前記本体の吹出口側に光を透過する照射部を備え、前記フィルター反射板の回転に応じた反射光は前記照射部の下方から上方へ繰返し照射され加湿フィルターユニットの回転動作を動的に表示することを特徴とする加湿装置。
【請求項２】
加湿フィルターユニットの側面にフィルター反射板と、このフィルター反射板に照射する発光手段を備えたことを特徴とする請求項１記載の加湿装置。
【請求項３】
複数のフィルター反射板と、このフィルター反射板に照射する複数の発光手段を備えたことを特徴とする請求項１記載の加湿装置。
【請求項４】
フィルター反射板に凹凸に形成した反射面を備えたことを特徴とする請求項１から３のいずれかに記載の加湿装置。
【請求項５】
回転手段に駆動ギアで連動し回転する偏光手段と、この偏光手段に照射する発光手段を備え、前記偏光手段の回転に応じた照射光は前記照射部の下方から上方へ繰返し照射され加湿フィルターユニットの回転動作を動的に表示することを特徴とする請求項１記載の加湿装置。
【請求項６】
遮光性の中空円筒体に光を透過する複数の丸形状の透過部を備えた偏光手段と、この中空円筒体の内部に発光手段を備えた、中空円筒体の回転に応じた複数の透過光は前記照射部の下方から上方へ繰返し照射され加湿フィルターユニットの回転動作を動的に表示することを特徴とする請求項５記載の加湿装置。
【請求項７】
透過性の中空円筒体に光を遮光する複数の丸形状の遮光部を備えた偏光手段と、この中空円筒体の内部に発光手段を備え、中空円筒体の回転に応じた複数の影は前記照射部の下方から上方へ繰返し投影され加湿フィルターユニットの回転動作を動的に表示することを特徴とする請求項５記載の加湿装置。
【請求項８】
制御手段と、複数色の発光手段を備え、発光手段の色を変えることを特徴とする請求項１から８のいずれかに記載の加湿装置。
【請求項９】
制御手段と、発光手段の輝度を調整する輝度スイッチを備え、前記輝度スイッチにより発光手段の輝度を調整することを特徴とする請求項１から９のいずれかに記載の加湿装置。
【請求項１０】
制御手段と、加湿空間の照度を検知する照度センサーを備え、前記照度センサーの信号から設定照度に応じて前記制御手段により発光手段の輝度を調整することを特徴とする請求項１から１０いずれかに記載の加湿装置。
【請求項１１】
本体の吹出口側に光を透過する照射部は、吹出口に向かって拡大する略逆三角形状に形成したことを特徴とする請求項１から１１いずれかに記載の加湿装置。
【請求項１２】
制御手段と、発光手段を備え、発光手段を明滅することを特徴とする請求項１および１０のいずれかに記載の加湿装置。
【発明の詳細な説明】
【技術分野】
【０００１】
本発明は，室内等の空間を吸水したフィルターに風を通して気化させることにより加湿する加湿装置に関するものである。
【背景技術】
【０００２】
従来、この種の加湿装置の一例として、吸水したフィルターを回転して加湿するものが知られていた（例えば特許文献１参照）。
【０００３】
以下、加湿装置について図１５を参照しながら説明する。
【０００４】
図１５に示すように、水槽部１０１と、この水槽部１０１に一定量の水を供給する給水用タンク１０２と、室内の乾燥した空気を取入れる吸込口１０３と室内に湿った空気を送る吹出口１０４と、両口間を連絡する風路中に配設された送風装置１０５と、この送風装置１０５の出口側に配設されたヒーター１０６と、小穴の開いた吸水性の良いシート状の素材をプリーツ折りして形成され、下端部を水槽部内の水に浸漬した気化フィルター１０７とにより構成されている。送風装置１０５によって吸込口１０３から吸い込まれた室内の乾燥した空気をヒーター１０６を通過させて加熱した後、水槽部１０１の水により湿潤した気化フィルター１０７を通過し、吹出口１０４から吹出される。気化フィルター１０７は回転自在とし、一方の下端部が水槽部１０１の水中に水没した状態と、水面と略水平に保持される状態と、他方の下端部が水中に水没する状態でそれぞれ停止するようにしている。
【０００５】
また、この種の加湿装置の一例として蒸気を発生させ室内を加湿するものが知られていた（例えば特許文献２参照）。
【０００６】
図１６に示すように貯水容器１０８と、蒸気吹出し口１０９を有して貯水容器１０８から水を蒸発させる蒸発容器１１０と、この蒸発容器１１０と貯水容器１０８とを結ぶ管路１１１と、この管路１１１をとして補給される水を加熱する加熱部１１２と、この加熱部１１２により加熱された熱湯水による蒸気の結露によって蒸気が発生されていることを報知する動作表示機構１１３とを備えている。動作表示機構１１３による色調の変化によって蒸気吹出し口から蒸気が放出されているかを確認するようにしている。
【特許文献１】特開２００３−３０２０７７号公報
【特許文献２】特開２０００−２５７９３０号公報
【発明の開示】
【発明が解決しようとする課題】
【０００７】
このような従来の図１５の加湿装置では、加湿フィルターに水分を吸水させフィルター表面と空気の接触により水分を気化させるため、加湿空気が吹出されているのが目に見えず、加湿されているのか判断できにくいという課題があった。
【０００８】
また、図１６の加湿装置では、加湿部により加熱した熱湯水による蒸気が発生していることを動作報知機構により報知しているが、水を加熱するための電力を要するという課題があった。
【０００９】
本発明は、上記従来の課題を解決するもので、水を加熱するための電力を要することなく、水分を気化するための加湿フィルターの回転動作を反射光による動的な表示として動的に表示することができる加湿装置を提供することを目的としている。
【課題を解決するための手段】
【００１０】
本発明の加湿装置は、上記目的を達成するために、吸込口と吹出口を連通し形成された空気流路に送風手段を設けた本体と、この本体に設けた給水タンクから一定水位に保たれるように給水される水槽と、この水槽の貯留水に常に下部を浸し、前記空気流路内に回転可能に軸支される中空円筒形状の加湿フィルターユニットと、この加湿フィルターユニット外周部に略等間隔で一体に備えた複数のフィルター反射板と、この加湿フィルターユニットを回転する回転手段と、前記フィルター反射板に照射する発光手段と、前記本体の吹出口側に光を透過する照射部を備え、前記フィルター反射板の回転に応じた反射光は前記照射部の下方から上方へ繰返し照射され加湿フィルターユニットの回転動作を動的に表示することができる構成としたものである。
【００１１】
この手段により、水を加熱するための電力を要することなく加湿フィルターユニットを回転させて気化蒸発加湿し、水分を気化するための加湿フィルターの回転動作を略等間隔で反射する反射光により加湿状態動的に表示することができる加湿装置が得られる。
【００１２】
また、他の手段は、加湿フィルターユニットの側面にフィルター反射板と、このフィルター反射板に照射する発光手段を備えた構成としたものである。
【００１３】
この手段により、水分を気化するための加湿フィルターの回転動作を反射光により動的に表示することができる加湿装置が得られる。
【００１４】
また、他の手段は、複数のフィルター反射板と、このフィルター反射板に照射する複数の発光手段を備えた構成としたものである。
【００１５】
この手段により、水分を気化するための加湿フィルターの回転動作を複数の反射光により照射部の広範囲に表示することができる加湿装置が得られる。
【００１６】
また、他の手段は、フィルター反射板に凹凸に形成した反射面を備えた構成としたものである。
【００１７】
この手段により、水分を気化するための加湿フィルターの回転動作を乱反射で反射する反射光に変化を与え動的に表示することができる加湿装置が得られる。
【００１８】
また、他の手段は、回転手段に駆動ギアで連動し回転する偏光手段と、この偏光手段に照射する発光手段を備えた構成としたものである。
【００１９】
この手段により、水分を気化するための加湿フィルターの回転動作を偏光手段の反射光により動的に表示することができる加湿装置が得られる。
【００２０】
また、他の手段は、遮光性の中空円筒体に光を透過する複数の丸形状の透過部を備えた偏光手段と、この中空円筒体の内部に発光手段を備えた構成としたものである。
【００２１】
この手段により、水分を気化するための加湿フィルターの回転動作を複数の透過光により動的に表示することができる加湿装置が得られる。
【００２２】
また、他の手段は、透過性の中空円筒体に光を遮光する複数の丸形状の遮光部を備えた偏光手段と、この中空円筒体の内部に発光手段を備えた構成としたものである。
【００２３】
この手段により、水分を気化するための加湿フィルターの回転動作を複数の投影により動的に表示することができる加湿装置が得られる。
【００２４】
また、他の手段は、制御手段と、複数色の発光手段を備え、発光手段の色を変えることができる構成としたものである。
【００２５】
この手段により、水分を気化するための加湿フィルターの回転動作を発光色を変えて動的に表示することができる加湿装置が得られる。
【００２６】
また、他の手段は、制御手段と、発光手段の輝度を調整する輝度スイッチを備え、前記輝度スイッチにより発光手段の輝度を調整することができる構成としたものである。
【００２７】
この手段により、水分を気化するための加湿フィルターの回転動作を表示する輝度を調整することができる加湿装置が得られる。
【００２８】
また、他の手段は、制御手段と、加湿空間の照度を検知する照度センサーを備え、前記照度センサーの信号から設定照度に応じて前記制御手段により発光手段の輝度を調整することができる構成としたものである。
【００２９】
この手段により、水分を気化するための加湿フィルターの回転動作を表示する輝度を設定照度に応じて調整することができる加湿装置が得られる。
【００３０】
また、他の手段は、本体の吹出口側に光を透過する照射部は、吹出口に向かって拡大する略逆三角形状に形成した構成としたものである。
【００３１】
この手段により、水分を気化するための加湿フィルターの回転動作を反射光と吹出口に向かって拡大する照射部の形状により視覚的な吹出し効果を高めることができる加湿装置が得られる。
【００３２】
また、他の手段は、制御手段と、発光手段を備え、発光手段を明滅する構成としたものである。
【００３３】
この手段により、水分を気化するための加湿フィルターの回転動作を反射光の明滅により視覚的な吹出し効果を高めることができる加湿装置が得られる。
【発明の効果】
【００３４】
本発明によれば、水を加熱するための電力を要することなく加湿フィルターユニットを回転させて気化蒸発加湿し、水分を気化するための加湿フィルターの回転動作を反射光により動的に表示することができる加湿装置を提供できる。
【００３５】
また、水分を気化するための加湿フィルターの回転動作を複数の透過光により動的に表示することができる加湿装置を提供できる。
【００３６】
また、水分を気化するための加湿フィルターの回転動作を複数の投影により動的に表示することができる加湿装置を提供できる。
【００３７】
また、水分を気化するための加湿フィルターの回転動作を照射光により動的に表示することができる加湿装置を提供できる。
【００３８】
また、水分を気化するための加湿フィルターの回転動作を表示する輝度を調整することができる加湿装置を提供できる。
【発明を実施するための最良の形態】
【００３９】
以下、本発明の実施の形態について図面を参照しながら説明する。
【００４０】
（実施の形態１）
図１から図２に示すように、本体１は吸込口２と吹出口３を連通した空気流路に送風手段４としてファンモーターと、加熱手段５として電熱ヒーターが設けられている。給水タンク６は加湿装置である本体１から取り外し自在に設けられ、給水タンク６の水は、水槽７に一定に保たれる。この水槽７の貯留水に下部を浸した回転可能に軸支される加湿フィルターユニット８が備え、この加湿フィルターユニット８の外周部には等間隔に複数のフィルター反射板９が設けられている。加湿フィルターユニット８を回転する回転手段１０としてタイミングモーターは、駆動ギアによって加湿フィルターユニット８と連動している。加湿フィルターユニット８の上部には、フィルター反射板９としてアルミ鏡面に向けて照射する発光手段１１としてＬＥＤが備えられ、吹出口３側には、反射光を照射する照射部１２として透明性の高いアクリル樹脂が形成されている。給水タンク６の横には、制御手段１３が配置されている。
【００４１】
上記構成において、運転開始信号が制御手段１３に送られると送風手段４に通電し運転を開始する。送風空気は、加熱手段５により暖められ回転手段１０により回転する加湿フィルターユニット８に送風される。このとき、加湿フィルター１４の水分は加湿フィルター１４を通過した空気と接触することにより気化され加湿される。回転手段１０の回転に連動した加湿フィルターユニット８の回転により加湿フィルターユニット８の外周部の等間隔に設けた複数のフィルター反射板９が回転する。発光手段１１の発光によりフィルター反射板９で反射した光は、照射部１２の透明性の高いアクリル樹脂に照射される。フィルター反射板９の回転により反射光は、照射部１２の下方から上方へ向かって一定間隔で繰返し照射され動的に表示することができる。
【００４２】
（実施の形態２）
次に、本発明の実施の形態２について図面を参照しながら説明する。なお、実施の形態１と同一のものは同一番号を付し、その詳細な説明を省略する。
【００４３】
図３に示すように、図１または図２の構成に加えて加湿フィルターユニット８ａの側面にフィルター反射板９ａと、このフィルター反射板９ａに照射する発光手段１１としてＬＥＤを設けた構成とする。
【００４４】
上記構成において、運転開始信号が制御手段１３に送られると送風手段４に通電し運転を開始する。送風空気は、加熱手段５により暖められ回転手段１０により回転する加湿フィルターユニット８に送風される。このとき、加湿フィルター１４の水分は加湿フィルター１４を通過した空気と接触することにより気化され加湿される。回転手段１０の回転に連動した加湿フィルターユニット８の回転により加湿フィルター１４の側面に設けたフィルター反射板９ａが回転する。発光手段１１の発光によりフィルター反射板９ａで反射した光は、照射部１２の透明性の高いアクリル樹脂に照射される。フィルター反射板９ａの回転により反射光は、照射部１２の下方から上方へ向かって一定間隔で繰返し照射され動的に表示することができる。
【００４５】
（実施の形態３）
次に、本発明の実施の形態３について図面を参照しながら説明する。なお、実施の形態１または２と同一のものは同一番号を付し、その詳細な説明を省略する。
【００４６】
図４に示すように、図１または図２の構成に加えて加湿フィルターユニット８ｂの側面に服すのフィルター反射板９ｂと、このフィルター反射板９ｂに照射する複数の発光手段１１としてＬＥＤを備えた構成とする。
【００４７】
上記構成において、運転開始信号が制御手段１３に送られると送風手段４に通電し運転を開始する。送風空気は、加熱手段５により暖められ回転手段１０により回転する加湿フィルターユニット８ｂに送風される。このとき、加湿フィルター１４の水分は加湿フィルター１４を通過した空気と接触することにより気化され加湿される。回転手段１０の回転に連動した加湿フィルターユニット８ｂの回転により加湿フィルター１４の両側面に設けたフィルター反射板９ｂが回転する。発光手段１１の発光によりフィルター反射板９ｂで反射した光は、照射部１２の透明性の高いアクリル樹脂に照射される。フィルター反射板９ｂの回転により両方の反射光は、照射部１２の下方から上方へ向かって一定間隔で繰返し広範囲を照射され動的に表示することができる。
【００４８】
（実施の形態４）
次に、本発明の実施の形態４について図面を参照しながら説明する。なお、実施の形態１から３と同一のものは同一番号を付し、その詳細な説明を省略する。
【００４９】
図５に示すように、図１から図４のいずれかの構成に加えてフィルター反射板９ｃに凹凸に形成した反射面を備えた構成とする。
【００５０】
上記構成において、発光手段１１の発光した光は、フィルター反射板９ｃの凹凸面で様々な方向に乱反射される。フィルター反射板９ｃの回転により反射光は、照射部１２の下方から上方へ向かって一定間隔で繰返し変化を与え照射され動的に表示することができる。
【００５１】
（実施の形態５）
次に、本発明の実施の形態５について図面を参照しながら説明する。なお、実施の形態１から４と同一のものは同一番号を付し、その詳細な説明を省略する。
【００５２】
図６に示すように、図１から図２のいずれかの構成に加えて回転手段１０に駆動ギア１５で連動し回転する偏光手段１６として反射板と、この偏光手段１６に照射する発光手段１１としてＬＥＤを備えた構成とする。
【００５３】
上記構成において、発光手段１１の発光した光は、回転手段１０の回転に連動して回転する偏光手段１６で反射される。偏光手段１６の回転により反射光は、照射部１２の下方から上方へ向かって一定間隔で繰返し照射され動的に表示することができる。
【００５４】
（実施の形態６）
次に、本発明の実施の形態６について図面を参照しながら説明する。なお、実施の形態１から５と同一のものは同一番号を付し、その詳細な説明を省略する。
【００５５】
図７から図８に示すように、図１から６のいずれかの構成に加えて遮光性の中空円筒体に光を透過する複数の直径５ｍｍから１０ｍｍ程度のの丸形状の透過部１７を備えた偏光手段１６ａと、この中空円筒体の内部に発光手段１１としてＬＥＤを備えた構成とする。
【００５６】
上記構成において、発光手段１１の発光した光は、回転手段１０の回転に連動して回転する中空円筒体の偏光手段１６ａの内部から照射部１２へ向けて照射される。透過部１７を抜けた複数の光が、偏光手段１６ａの回転に応じて照射部１２の下方から上方へ向かって繰返し複数の丸形状の光として照射され動的に表示することができる。
【００５７】
（実施の形態７）
次に、本発明の実施の形態７について図面を参照しながら説明する。なお、実施の形態１から６と同一のものは同一番号を付し、その詳細な説明を省略する。
【００５８】
図７および図９に示すように、図１から６のいずれかの構成に加えて透過性の中空円筒体に光を遮光する複数の直径５ｍｍから１０ｍｍ程度の丸形状の遮光部１８を備えた偏光手段１６ｂと、この中空円筒体の内部に発光手段１１としてＬＥＤを備えた構成とする。
【００５９】
上記構成において、発光手段１１の発光した光は、回転手段１０の回転に連動して回転する中空円筒体の偏光手段１６ｂの内部から照射部１２へ向けて照射される。遮光部１８による複数の影が、偏光手段１６ｂの回転に応じて照射部１２の下方から上方へ向かって繰返し複数の丸形状の影として投影され動的に表示することができる。
【００６０】
（実施の形態８）
次に、本発明の実施の形態８について図面を参照しながら説明する。なお、実施の形態１から７と同一のものは同一番号を付し、その詳細な説明を省略する。
【００６１】
図１０に示すように、図１から図９のいずれかの構成に加えて制御手段１３ａと、複数色の発光手段１１ａとして２色ＬＥＤを備え、ＬＥＤの色を変えることができる構成とする。
【００６２】
上記構成において、送風スイッチ（図示せず）が強に切り換えられると動作信号が制御手段１３ａに送られる。動作信号により制御手段１３ａは送風手段４を強運転し、同時に発光手段１１ａは赤色を照射する。また、送風スイッチが弱に切り換えられると、動作信号により制御手段１３ａは送風手段４を弱運転する。同時に、発光手段１１ａは緑色を発光する。または、強を橙色、弱を青色としても良い。運転に応じて色を変え動的に表示することができる。
【００６３】
（実施の形態９）
次に、本発明の実施の形態９について図面を参照しながら説明する。なお、実施の形態１から８と同一のものは同一番号を付し、その詳細な説明を省略する。
【００６４】
図１１に示すように、図１から１０の構成に加えて制御手段１３ｂに発光手段１１としてＬＥＤの輝度を調整する輝度スイッチ１９を備え、発光手段１１の輝度を調整する構成とする。
【００６５】
上記構成において、就寝時などの周囲が暗い環境において照射部１２の光が眩しく感じるとき、輝度スイッチ１９により動作信号が制御手段に送られると、制御手段１３ｂは、発光手段１１の輝度を下げる。照射部１２の輝度を任意で調整することにより、照射部１２の光を眩しく感じることなく使用することができる。
【００６６】
（実施の形態１０）
次に、本発明の実施の形態１０について図面を参照しながら説明する。なお、実施の形態１から９と同一のものは同一番号を付し、その詳細な説明を省略する。
【００６７】
図１２に示すように、図１から１１の構成に加えて制御手段１３ｃに加湿空間の照度を検知する照度センサー２０としてＣｄｓやフォトトランジスターやフォトセンサーを備え、発光手段１１としてＬＥＤの輝度を調整する構成とする。
【００６８】
上記構成において、照度センサー２０の検出信号から制御手段１３ｃは発光手段１１の輝度を調整する。周囲の環境に応じて、自動で調整を行い照射部１２の輝度を調整することにより、照射部の光を眩しく感じることなく使用することができる。
【００６９】
（実施の形態１１）
次に、本発明の実施の形態１１について図面を参照しながら説明する。なお、実施の形態１から１０と同一のものは同一番号を付し、その詳細な説明を省略する。
【００７０】
図１３に示すように、図１から１２の構成に加えて本体の吹出口３側に光を透過する照射部１２ａは、吹出口３に向かって拡大する逆三角形状に形成した構成とする。
【００７１】
上記構成において、フィルター反射板９の回転により反射光は、照射部１２の下方から上方へ向かって一定間隔で繰返し照射され動的に表示することに加え、下から吹出口へ広がる形状としてことで加湿空気が吹出すイルミネーション効果を高めることができる。
【００７２】
（実施の形態１２）
次に、本発明の実施の形態１２について図面を参照しながら説明する。なお、実施の形態１から１１と同一のものは同一番号を付し、その詳細な説明を省略する。
【００７３】
図１４に示すように、図１から１３の構成に加えて制御手段１３ｄと、発光手段１１ｂとしてＬＥＤを備え、ＬＥＤを明滅する構成とする。
【００７４】
上記構成において、フィルター反射板９の回転により反射光は、照射部１２の下方から上方へ向かって一定間隔で繰返し照射され動的に表示することに加え、明滅することで加湿空気が吹出すイルミネーション効果を高めることができる。
【産業上の利用可能性】
【００７５】
サウナ装置等にも適用できる。
【図面の簡単な説明】
【００７６】
【図１】本発明の実施の形態１の加湿装置の構成を示す側面概略図
【図２】同加湿装置の実施の形態１の加湿装置の構成を示す正面概略図
【図３】同加湿装置の実施の形態２の加湿装置の構成を示す正面概略図
【図４】同加湿装置の実施の形態３の加湿装置の構成を示す正面概略図
【図５】同加湿装置の実施の形態４の加湿装置の構成を示す正面概略図
【図６】同加湿装置の実施の形態５の加湿装置の構成を示す正面概略図
【図７】同加湿装置の実施の形態６の加湿装置の構成を示す側面概略図
【図８】同加湿装置の実施の形態６の加湿装置の構成を示す斜視概略図
【図９】同加湿装置の実施の形態７の加湿装置の構成を示す斜視概略図
【図１０】同加湿装置の実施の形態８の加湿装置の構成を示す側面概略図
【図１１】同加湿装置の実施の形態９の加湿装置の構成を示す側面概略図
【図１２】同加湿装置の実施の形態１０の加湿装置の構成を示す側面概略図
【図１３】同加湿装置の実施の形態１１の加湿装置の構成を示す側面概略図
【図１４】同加湿装置の実施の形態１２の加湿装置の構成を示す側面概略図
【図１５】従来の加湿装置の構成図
【図１６】従来の加湿装置の構成図
【符号の説明】
【００７７】
１      本体
２      吸込口
３      吹出口
４      送風手段
５      加熱手段
６      給水タンク
７      水槽
８      加湿フィルターユニット
９      フィルター反射板
１０    回転手段
１１    発光手段
１２    照射部
１３    制御手段
１４    加湿フィルター
１５    駆動ギア
１６    偏光手段
１７    透過部
１８    遮光部
１９    輝度スイッチ
２０    照度センサー
１０１  水槽部
１０２  給水用タンク
１０３  吸込口
１０４  吹出口
１０５  送風装置
１０６  ヒーター
１０７  気化フィルター
１０８  貯水容器
１０９  蒸気吹出し口
１１０  蒸発容器
１１１  管路
１１２  加熱部
１１３  動作表示機構
【図１】
2009068747.tif 000003
【図２】
2009068747.tif 000004
【図３】
2009068747.tif 000005
【図４】
2009068747.tif 000006
【図５】
2009068747.tif 000007
【図６】
2009068747.tif 000008
【図７】
2009068747.tif 000009
【図８】
2009068747.tif 000010
【図９】
2009068747.tif 000011
【図１０】
2009068747.tif 000012
【図１１】
2009068747.tif 000013
【図１２】
2009068747.tif 000014
【図１３】
2009068747.tif 000015
【図１４】
2009068747.tif 000016
【図１５】
2009068747.tif 000017
【図１６】
2009068747.tif 000018